(57)【特許請求の範囲】
【請求項１】
遊技媒体の投入される投入口と、
前記投入口から投入された遊技媒体を機内へ導く投入通路と、
ゲーム毎に入賞の当否を判定する入賞判定部と、
入賞により付与する遊技媒体の数量を示す入賞数を設定する入賞数設定部と、
前記投入口から投入された遊技媒体及び入賞により付与される遊技媒体を規定数まで記憶するクレジット部と、
前記クレジット部で記憶する遊技媒体の数量を示すクレジット数を表示するクレジット表示部と、
外部から入力される遊技媒体の数量を特定可能な数量情報にもとづいて遊技媒体の数量を記憶・管理するとともに、記憶した数量を表示し、記憶した数量までの遊技媒体を払い出し可能、及び／又は、記憶した遊技媒体の数量を特定可能な情報を記録した所定の記録媒体を発行可能な所定の遊技装置に対して、前記数量情報を出力する出力部と、
前記各部を制御してゲーム管理を行う制御部と、を備え、
前記制御部は、
前記クレジット数を監視し、
前記入賞数の追加によって前記クレジット数が前記規定数を超えるときには、超過分の遊技媒体の数量を特定可能な超過数情報を前記出力部から前記遊技装置に出力し、
前記入賞数の追加によって前記規定数を超える分の遊技媒体の数量を、前記超過数情報にもとづいて前記遊技装置に管理させる
ことを特徴とするスロットマシン。
【請求項２】
前記遊技媒体として機内に導かれた遊技媒体を、前記遊技装置に移送する移送部を備え、前記移送部を介して遊技媒体を遊技装置に貯留させることを特徴とする請求項１記載のスロットマシン。
【請求項３】
前記制御部は、
遊技媒体の精算に係る所定の入力操作の検出にもとづいて、前記クレジット数、及び／又は、１回のゲームに掛ける遊技媒体の数量となる掛け数を示す精算数情報を出力部から前記遊技装置に出力して、当機の精算時における遊技媒体の数量を、前記精算数情報にもとづいて前記遊技装置に管理させるとともに、
前記入力操作の検出タイミングで、前記クレジット数と前記掛け数の双方がある場合において、
最初の前記入力操作を検出したタイミングで、前記掛け数を示す精算数情報を出力し、
その後、前記投入口からの遊技媒体の投入又は前記掛け数を設定する所定のベット操作がされることなく、二回目の前記入力操作を検出したタイミングで、前記クレジット数を示す精算数情報を出力する
ことを特徴とする請求項１又は２記載のスロットマシン。
【請求項４】
請求項１〜３のいずれか一項に記載のスロットマシンの出力部から前記超過数情報を入力する通信部と、
前記入賞数の追加によって前記規定数を超える分の遊技媒体の数量を、前記超過数情報にもとづいて記憶・管理する演算処理部と、
記憶した遊技媒体の数量を表示する表示部と、
所定の入力操作にもとづいて記憶した数量までの遊技媒体の払い出しを行う払出部と、
記憶した遊技媒体の数量を特定可能な情報を記録した所定の記録媒体を発行する発行部と、を備える
ことを特徴とする遊技装置。
【請求項５】
前記払出部は、
前記スロットマシンから移送される前記遊技媒体を貯留する貯留部を備えることを特徴とする請求項４記載の遊技装置。
【請求項６】
前記通信部は、
前記クレジット数、及び／又は、１回のゲームに掛ける遊技媒体の数量となる掛け数を示す精算数情報と、
前記スロットマシンに投入された遊技媒体の数量を示す投入数情報と、
前記入賞数を示す入賞数情報と、を前記出力部から入力し、
所定の遊技媒体貸出装置から貸し出された遊技媒体の数量を示す貸出数情報、及び／又は、遊技者が遊技場に予め預け入れた貯遊技媒体からの引き出し数を示す引出数情報を取得し、
前記演算処理部は、
前記投入数情報と、前記超過数情報と、前記精算数情報とから、これらの情報の示す遊技媒体の数量をそれぞれ加算した第一の合計数量を算出するとともに、
前記入賞数情報と、前記貸出数情報と、前記引出数情報と、前記入賞数の追加によって前記規定数を超える分の遊技媒体の数量及び前記精算数情報の示す遊技媒体の数量から前記払出部が払い出した遊技媒体の数量を示す払戻数情報とから、これらの情報の示す遊技媒体の数量をそれぞれ加算した第二の合計数量を算出し、
前記投入数情報又は前記精算数情報を受信する度に、第一の合計数量と第二の合計数量とを比較し、
第一の合計数量が第二の合計数量より大きいときに、不正行為に係る所定の異常を判定することを特徴とする請求項４又は５記載の遊技装置。
【請求項７】
前記払出部は、
投入金額にもとづいて遊技媒体を貸し出す遊技媒体貸出装置が所定の投入金額を対価として貸し出す遊技媒体の数量と同数の遊技媒体を一単位として、一回の入力操作により払い出す請求項４〜６のいずれか一項に記載の遊技装置。
【請求項８】
請求項１に記載のスロットマシンと、
請求項４に記載の遊技装置と、
前記遊技装置から、前記超過数情報と、前記入賞数の追加によって前記規定数を超える分の遊技媒体の数量から前記払出部が払い出した遊技媒体の数量を示す払戻数情報とを受信し、
前記入賞数の追加によって前記規定数を超える分の遊技媒体の数量と、前記払出部が払い出した遊技媒体の数量とを、受信した前記各情報にもとづいて記憶・管理する管理装置と、を備える
ことを特徴とする遊技システム。
【発明の詳細な説明】
【技術分野】
【０００１】
本発明は、遊技場に設置されているスロットマシンと、スロットマシンに併設される遊技装置及び遊技装置を管理する管理装置と、これらを備える遊技システムに関し、特に、クレジット可能な規定数を超える分の遊技媒体の数量を、外部装置に管理させるスロットマシンと、この外部装置として機能する遊技装置及び管理装置と、これらを備える遊技システムに関する。
【背景技術】
【０００２】
スロットマシンは、遊技者が遊技媒体となる遊技用のメダル（コイン）や遊技球（パチンコ球）を投入してスタートレバーを押下することにより、外周面に所定の絵柄や数字，文字等の図柄が表された複数のリール（通常３個のリール）が回転を開始し、定速回転後、任意のタイミングで停止ボタンが押されることでリールが停止し、停止したリール上の図柄の組合せが入賞に係る図柄の組合せの場合、所定数の遊技媒体が払い出される遊技機である。
このようなスロットマシンは、投入した遊技媒体と払い出される遊技媒体とを規定数（例えば、メダル５０枚）まで内部的に記憶するクレジット機能を備え、このクレジットされた遊技媒体は、ベットボタンを操作することによりゲームに投じる（掛ける）ことができるとともに、精算ボタンを操作することにより払い出すことができるようになっている。
また、払い出される遊技媒体によって規定数を超えるときには、この超過分の遊技媒体は、機外に直接払い出され、所定の受け皿に貯留されるようになっている（例えば、特許文献１）。
【先行技術文献】
【特許文献】
【０００３】
【特許文献１】特開２００１−２１８８９２号公報
【発明の概要】
【発明が解決しようとする課題】
【０００７】
本発明は、取得された遊技媒体の数量を明確に把握することを目的とする。
【課題を解決するための手段】
【０００８】
上記目的を達成するため、本発明のスロットマシンは、遊技媒体の投入される投入口と、前記投入口から投入された遊技媒体を機内へ導く投入通路と、ゲーム毎に入賞の当否を判定する入賞判定部と、入賞により付与する遊技媒体の数量を示す入賞数を設定する入賞数設定部と、前記投入口から投入された遊技媒体及び入賞により付与される遊技媒体を規定数まで記憶するクレジット部と、前記クレジット部で記憶する遊技媒体の数量を示すクレジット数を表示するクレジット表示部と、外部から入力される遊技媒体の数量を特定可能な数量情報にもとづいて遊技媒体の数量を記憶・管理するとともに、記憶した数量を表示し、記憶した数量までの遊技媒体を払い出し可能、及び／又は、記憶した遊技媒体の数量を示す情報を所定の記録媒体に記録して発行可能な所定の遊技装置に対して、前記数量情報を出力する出力部と、前記各部を制御してゲーム管理を行う制御部と、を備え、前記制御部は、前記クレジット数を監視し、前記入賞数の追加によって前記クレジット数が前記規定数を超えるときには、超過分の遊技媒体の数量を特定可能な超過数情報を前記出力部から前記遊技装置に出力し、前記入賞数の追加によって前記規定数を超える分の遊技媒体の数量を、前記超過数情報にもとづいて前記遊技装置に管理させる構成としてある。
【図面の簡単な説明】
【００１２】
【図１】本発明の一実施形態に係るスロットマシン、遊技装置及び管理装置を含む遊技システムを模式的に示すシステム構成図である。
【図２】本発明の一実施形態に係るスロットマシン及び遊技装置の正面図である。
【図３】本発明の一実施形態に係るスロットマシンの内部構成を示す斜視図である。
【図４】本発明の一実施形態に係るスロットマシンの制御部を中心とした制御構成を示すブロック図である。
【図５】本発明の一実施形態に係る遊技装置の制御部を中心とした制御構成を示すブロック図である。
【図６】本発明の一実施形態に係る遊技システムを構成する各装置間において送受される遊技信号を示すブロック図である。
【図７】本発明の一実施形態に係るスロットマシンから出力される超過数情報（メダル超過信号）の出力処理を示すフローチャートである。
【図８】本発明の一実施形態に係る遊技装置において実行させる不正判定処理を示すフローチャートである。
【図９】本発明の一実施形態に係る管理装置の管理する記録媒体を特定可能な情報（コインＩＤ）と取得メダル数とを紐付けした図表である。
【発明を実施するための形態】
【００１３】
以下、本発明に係るスロットマシン、遊技装置及び管理装置、これらを備える遊技システムの好ましい実施形態について図１〜図９を参照して説明する。
図１に示すように、本実施形態に係るスロットマシン１００、遊技装置として機能する台間装置１０及び管理装置として機能する持ち玉管理装置７０は、複数の遊技機が設置される遊技場（ホール）に設けられ、本発明に係る遊技システムＳを構成する装置の一部として組み込まれている。
具体的には、遊技システムＳは、スロットマシン１００、台間装置１０、持ち玉管理装置７０に加え、台コンピュータ３０、島コンピュータ４０、会員管理装置５０、ホールコンピュータ６０、景品交換装置８０、現金貸玉管理装置９０、精算機９１などで構成され、これらは所定のネットワーク（例えば、ローカル・エリア・ネットワーク）を介してデータ通信可能に接続されている。
【００１４】
本実施形態に係る遊技システムＳは、遊技者が予め預け入れた遊技媒体（以下、メダルという）を貯留遊技媒体（以下、貯メダルという）として管理するとともに、後日再来場した際に、その貯メダルで再プレイ可能な、いわゆる貯玉再プレイシステムとして構築され、会員管理装置５０で管理する遊技者の予め預け入れた貯メダルを台間装置１０において引き出して、これに併設されたスロットマシン１００において貯メダル遊技を行うことができるようになっている。
また、予め預け入れた貯メダルがないときには、台間装置１０に現金を投入することで、台間装置１０から貸メダルが貸し出され、スロットマシン１００において貸メダル遊技を行うことができる。
【００１５】
スロットマシン１００は、従来のスロットマシンと同様、遊技者がメダルを投入してスタートレバー１０４を操作することで、複数のリール１２１が回転を開始し、定速回転後、任意のタイミングで停止ボタン１０５が押下されることでリール１２１が停止し、停止したリール１２１上の図柄の組合せにより入賞の当否が決定されるスロットマシンでありながら、入賞による入賞メダルの払い出しは行われず、その代わりに、台間装置１０に対して入賞メダルの数量を示すメダル超過信号（後述）を出力することで（図６参照）、入賞メダルを台間装置１０から払い出し可能としてある。
【００１６】
台間装置１０は、本発明に係る遊技装置の一例であり、スロットマシン１００毎に併設され、コンピュータ制御によりメダルを払い出す機能を備えており、スロットマシン１００から入力されるメダル超過信号にもとづいて当該スロットマシン１００における入賞メダル数を管理するとともに、遊技者による入力を受けて入賞メダル数を上限として入賞メダルを遊技者に払い戻すようになっている。
また、台間装置１０は、入賞メダル数から遊技者に払い戻した分の払戻メダル数を管理するとともに、入賞メダル数から払戻メダル数を減算して入賞メダル数を更新する。
【００１７】
台コンピュータ３０及び島コンピュータ４０は、それぞれスロットマシン１００毎及び複数のスロットマシン１００が取り付けられた遊技機島毎に設けられる情報中継処理装置であり、スロットマシン１００と台間装置１０と会員管理装置５０とホールコンピュータ６０の間で送受される情報を中継する。
【００１８】
会員管理装置５０は、遊技場に予め預け入れた貯メダルを遊技者（貯メダル会員）毎に管理する情報処理装置であって、貯メダルが台間装置１０から引き出しされる毎に、預け入れられた貯メダル数から引出数を減算して貯メダル数を更新する。
【００１９】
ホールコンピュータ６０は、所定の遊技データを集計する情報処理装置であって、スロットマシン１００及び台間装置１０からの遊技信号（例えば、後述するボーナス信号（ＢＢ信号、ＲＢ信号）、メダル投入信号、メダル入賞信号、メダル貸出信号、貯メダル引出信号など）を収集して、スロットマシン１００毎、スロットマシン１００の特定の機種毎、遊技機島毎、遊技場全体における所定の遊技データ（例えば、総投入数、総入賞数、ボーナス発生確率、売上げ、粗利、割数など）を集計する。
【００２０】
持ち玉管理装置７０は、本発明に係る管理装置の一例であり、複数の台間装置１０と接続され、各台間装置１０で管理する入賞メダル数、払戻メダル数を、台間装置１０毎に管理する情報処理装置である。
具体的には、持ち玉管理装置７０は、各台間装置１０からメダル超過信号とメダル払戻信号（後述）を受信して、台間装置１０毎の入賞メダル数、払戻メダル数を記憶・管理する。また、入賞メダル数から払戻メダル数を減算して入賞メダル数を更新するとともに、各台間装置１０からの要求に応じて、該当する台間装置１０に現在の入賞メダル数、払戻メダル数を送信する。
さらに、持ち玉管理装置７０は、台間装置１０から送信されるＩＣコイン８２を特定可能な情報であるコインＩＤと入賞メダル数を含む後述の取得メダル数とを紐付けして記憶・管理し、景品交換装置８０から送信されるコインＩＤを含む要求信号に応じて、このコインＩＤと紐付けされた取得メダル数を景品交換装置８０に返信する。
【００２１】
景品交換装置８０は、取得メダル数に応じた景品との交換処理を行う情報処理装置であって、付設されたＩＣコインリーダ８１を介して取得メダル数を特定可能な情報（コインＩＤ）をＩＣコイン８２から読み込み、この取得メダル数とほぼ等価な価値を有する景品との決済処理を行う。
具体的には、景品交換装置８０は、ＩＣコインリーダ８１によりＩＣコイン８２からコインＩＤを読み込むとともに、このコインＩＤを含む要求信号を持ち玉管理装置７０に送信することで、持ち玉管理装置７０からこのコインＩＤと紐付けされた取得メダル数を受信し、この受信した取得メダル数とほぼ等価な価値を有する景品との決済処理を行う。
【００２２】
現金貸玉管理装置９０は、各台間装置１０に投入された現金の金額と、この台間装置１０から貸し出された貸メダル数及び貸メダル数分を除いた残金とを、台間装置１０毎に管理する情報処理装置であって、さらに、残金とコインＩＤとを紐付けして管理している。
【００２３】
精算機９１は、現金を遊技者に払い戻す現金払戻装置であり、投入されたＩＣコイン８２からコインＩＤを読取るとともに、現金貸玉管理装置９０の管理するコインＩＤと残金とを紐付けした情報を参照して、読取ったコインＩＤに対応する残金を遊技者に払い戻す。
【００２４】
このような遊技システムＳにおいて、スロットマシン１００は、入賞メダルによってクレジット可能な上限値を超えるときに、超過分の入賞メダル数を示すメダル超過信号を台間装置１０に対して出力する。
台間装置１０は、入力されたメダル超過信号にもとづいて、スロットマシン１００で取得した入賞メダル数を記憶・管理するとともに、記憶した入賞メダル数を表示し、記憶した入賞メダル数までのメダルを遊技者に払い出すとともに、記憶した入賞メダル数とコインＩＤとを持ち玉管理装置７０に出力し、ＩＣコイン８２を発行するようになっている。
また、持ち玉管理装置７０は、台間装置１０から入力される、メダル超過信号とメダル払戻信号とにもとづいて、台間装置１０と接続されたスロットマシン１００における入賞メダル数、払戻メダル数とを、各信号にもとづいて記憶・管理するようになっている。
以下、スロットマシン１００と、台間装置１０と、持ち玉管理装置７０について詳述する。
【００２５】
［スロットマシン］
スロットマシン１００は、図２、図３に示すように、前扉１０１ａの前面側に、クレジット数表示部１０２と、掛け数表示部１０２ａと、スタートレバー１０４と、メダル投入口１０６と、精算ボタン１０６ａと、ＢＥＴボタン１０７と、複数の停止ボタン１０５（１０５ａ〜１０５ｃ）と、メダル返却口１０８とを備え、また、前扉１０１ａの後面側に、メダルセレクタ１０９を備え、さらに、筐体１０１ｂの内部に、ドラムユニット１２０と、制御部１５０と、移送通路１１１を備えている。
【００２６】
メダル投入口１０６は、ゲームに掛けるメダルを受け入れる投入口である。スロットマシン１００では、ゲームにメダルを掛ける方法として、ゲーム毎にメダル投入口１０６からメダルを投入する方法と、クレジット機能により内部にクレジットされたメダルをゲームに掛ける（ベットする）方法とがある。
クレジット機能は、メダル投入口１０６から投入された投入メダルや、入賞内容に応じて払い出される入賞メダルを、規定数（例えば、５０枚）を上限として内部に記憶する機能であり、クレジットされたメダル数を示すクレジット数は、クレジット数表示部１０２に表示される。
【００２７】
ＢＥＴボタン１０７は、クレジットされたメダルをゲームに掛ける（ベットする）ための操作手段（スイッチ）であり、ＭＡＸＢＥＴボタン１０７ａは、１回のゲームに掛けられる最大掛け数（例えば、３枚）を、１回の押下操作で掛けることができ、１ＢＥＴボタン１０７ｂは、１回の押下操作につき１枚ずつメダルを掛けることができる。
【００２８】
掛け数表示部１０２ａは、１回のゲームに掛けられる投入メダル数を表示し、メダル投入口１０６から又はＢＥＴボタン１０７の操作によって、投入された投入メダル数を、最大掛け数（例えば、３枚）まで表示する。
また、上記のクレジット数は、入賞メダルのみならず、投入メダル数が最大掛け数までに達した後に投入された投入メダルによっても増加する。
【００２９】
例えば、クレジット数は、投入メダル数が最大掛け数（３枚）に達した後に投入される投入メダルによって増加が始まり、メダルが１枚ずつ投入される度に１ずつカウントアップし、規定数となる５０枚まで増加される。その結果、投入メダルは、実質的に５３枚まで投入することができる。
なお、入賞時（リプレイ入賞を除く）に付与される入賞メダルは、掛け数に加えられることなくクレジット数に加算される。
【００３０】
スタートレバー１０４は、メダルが掛けられた後に操作されるゲームスタート手段として構成され、スタートレバー１０４を操作すると、ドラムユニット１２０に設けられるリール１２１ａ〜１２１ｃの回転が開始されるとともに、制御部１５０において、ボーナス役、リプレイ役、小役、ハズレを含む複数の抽選対象から今回ゲームの当選内容を決定する内部抽選が行われる。
【００３１】
停止ボタン１０５ａ〜１０５ｃは、リール１２１ａ〜１２１ｃと同数設けられている。これらの停止ボタン１０５ａ〜１０５ｃが押下されると、この押下タイミングと内部抽選の当選内容にもとづいて対応するリール１２１ａ〜１２１ｃの回転が停止制御され、停止した各リール１２１に表された図柄の組合せにより入賞又はハズレが決定される。
【００３２】
メダル返却口１０８は、メダル投入口１０６から投入された投入メダルを遊技者に返却するためのメダルの排出口である。
メダルセレクタ１０９は、投入メダルが流下可能に傾斜する投入通路を形成しており、この投入通路において、投入メダルの真偽の選別と、経路の切り換えと、メダルの通過検出を行うように構成される。
【００３３】
具体的には、投入メダルの真偽の選別は、例えば、メダルの径寸法を基準として行われ、適合しない径寸法の偽メダルは、受入口１１０ａからシュート１１０内に取り込まれるとともに、メダル返却口１０８から排出され、真メダルのみを筐体１０１ｂ内に導く。
経路の切り換えは、例えば、制御部１５０により駆動制御される電磁開閉機構（図示せず）により行われ、電磁開閉機構をオンにすると、投入メダルが筐体１０１ｂ内へ導かれ、電磁開閉機構をオフにすると、投入メダルが受入口１１０ａからシュート１１０内に取り込まれるとともに、メダル返却口１０８から排出される。この電磁開閉機構は、リール１２１の回転中においてオフされ、リール１２１の回転中に投入される投入メダルを、メダル返却口１０８から排出させる。
メダルの通過検出は、例えば、透過型や反射型のフォトインタラプタなどの光学センサを用いて行われ、この検出信号は制御部１５０に入力される。
【００３４】
ドラムユニット１２０は、複数のリール１２１ａ〜１２１ｃと、モータ駆動回路（図示せず）と、複数のステッピングモータ（図示せず）と、リール位置検出部（図示せず）とを有している。
リール１２１ａ〜１２１ｃの外周面には、複数の図柄が描かれている。これらの図柄は、前扉１０１ａの表示窓１０３を介して、遊技者に目視される。
【００３５】
モータ駆動回路は、制御部１５０からのパルス信号にもとづき、ステッピングモータを駆動制御して、リール１２１ａ〜１２１ｃの回転を始動・停止させる。
リール位置検出部は、リール１２１ａ〜１２１ｃの回転が停止すると、このリール１２１ａ〜１２１ｃに記されたマーカにもとづいて、リール１２１ａ〜１２１ｃの回転停止位置を検出し、この検出により制御部１５０が停止図柄の組合せを判定する。
この図柄の組合せが予め設定された入賞に係る組合せのときには、制御部１５０は、入賞により付与する入賞メダル数を示すメダル入賞信号を台コンピュータ３０に対して出力するとともに、この付与によりクレジット数がクレジット可能な規定数を超えるときには、台間装置１０に対して、超過分の入賞メダル数を示すメダル超過信号をさらに出力する。
【００３６】
移送通路１１１は、メダルセレクタ１０９により筐体１０１ｂ内へ導かれた投入メダルを、台間装置１０に移送するバイパス通路であり、投入メダルが流下可能な傾斜通路として形成されている。
流入口１１１ａは、前扉１０１ａを閉じた状態で、メダルセレクタ１０９の流出口１０９ａと重なり、流出口１１１ｂは、筐体１０１ｂ側面に形成された開口部に通じることで、併設される台間装置１０に投入メダルを移送可能に構成されている。
【００３７】
外部出力端子板１３０は、本発明に係る出力部の一例であり、制御部１５０で生成される各種の遊技信号を外部に出力する情報出力基板である。これらの遊技信号の出力形態は、いずれもスロットマシン１００から外部装置に対して出力する単方向出力形態となっている。
このような外部出力端子板１３０から出力される遊技信号には、図６に示すように、メダル投入信号Ｓ１（投入数情報）、メダル入賞信号Ｓ２（入賞数情報）、ＢＢ信号Ｓ３、ＲＢ信号Ｓ４、メダル超過信号Ｓ５（超過数情報）、メダル精算信号Ｓ６（精算数情報）がある。
【００３８】
制御部１５０は、クロック発生回路、乱数発生回路、外部出力回路などの各種回路や、ＣＰＵ１５１、ＲＯＭ１５２、ＲＡＭ１５３などを有し、図４に示すように、ＣＰＵ１５１が、メダルセレクタ１０９、スタートレバー１０４、停止ボタン１０５、ＢＥＴボタン１０７、精算ボタン１０６ａなどからの信号の入力を監視し、これらの入力信号にもとづいて、今回ゲームの当選内容を決定する内部抽選処理、ドラムユニット１２０のリール１２１の回転・停止制御を行うリール制御処理、停止した図柄の組合せから入賞の当否を判定する入賞判定処理、入賞により付与する入賞メダル数を設定する入賞メダル数設定処理、投入メダル及び入賞メダルを規定数まで記憶するクレジット処理、上記の遊技信号を生成して出力する信号出力処理などの遊技に係る各処理を実行することで、スロットマシン遊技を進行・管理するようになっている。
【００３９】
ＲＯＭ１５２には、ＣＰＵ１５１が前記各処理を実行するためのプログラム及びデータが記憶されている。また、データには、入賞役ごとに付与される入賞メダル数が記憶されている。
ＲＡＭ１５３は、遊技に係る各種のワークデータを記憶する。このワークデータには、クレジットされるメダル数を示すクレジット数１５３ａ、掛け数表示部１０２ａに表示される掛け数も含まれる。
以下に、制御部１５０で実行される上記の各処理について説明する。
【００４０】
例えば、内部抽選処理では、スタートレバー１０４の操作されたタイミングで乱数を取得するとともに、この乱数にもとづいてボーナス役（ＢＢ、ＲＢ）、リプレイ役、複数の小役、ハズレからなる複数の抽選対象の中から今回ゲームの当選内容を決定する。
また、リール制御処理では、停止ボタン１０５ａ〜１０５ｃの押下操作を検出すると、この押下タイミングと内部抽選処理における当選内容にもとづいて、当選内容に対応する図柄の組合せで停止するように、回転するリール１２１ａ〜１２１ｃを停止制御する。
また、入賞判定処理では、停止した各リール１２１に表された図柄の組合せを識別し、入賞の当否を判定する。
【００４１】
入賞メダル数設定処理では、停止した図柄の組合せが小役に対応する入賞と判定した場合に限り、付与する入賞メダル数を設定する。この設定では、例えば、ＲＡＭ１５３の所定領域に入賞メダル数をセットする。
設定する入賞メダル数は、ＲＯＭ１５２に記憶された小役の種類ごとの入賞メダル数を参照しながら、今回入賞した小役に係る入賞メダル数を設定する。
【００４２】
クレジット処理では、クレジット数１５３ａを監視しつつ、投入メダル数と入賞メダル数を、クレジット可能な上限値である規定数（５０枚）まで加算しながらクレジット数１５３ａを更新する。
また、入賞メダル数の加算により、クレジット数１５３ａが規定数を超えるときには、超える分の入賞メダル数を示すメダル超過信号を生成する。
例えば、クレジット数１５３ａが「４７枚」であり、今回ゲームで新たに設定された入賞メダル数が「１０枚」のときには、「３枚」をクレジット数１５３ａに加算するとともに、「７枚」が超過分の入賞メダルとなることから、「７枚分」の入賞メダル数を示すメダル超過信号を生成する。
【００４３】
また、信号出力処理では、前述の遊技信号を生成し、外部出力端子板１３０から出力する。
メダル投入信号Ｓ１は、ゲームに掛けられた投入メダル数をそのパルス数により示す信号であり、例えば、スタートレバー１０４が操作されたタイミングで生成され、台コンピュータ３０に対して出力される。
メダル入賞信号Ｓ２は、入賞メダル数をそのパルス数により示す信号であり、ＲＡＭ１５３に入賞メダル数が設定されたタイミングで生成され、台コンピュータ３０に対して出力される。
なお、メダル入賞信号Ｓ２は、停止した図柄の組合せがリプレイ役に対応する入賞と判定した場合にも出力され、このときには、投入メダル数と同数のメダル数をそのパルス数により示す信号が出力される。
【００４４】
ＢＢ信号Ｓ３、ＲＢ信号Ｓ４は、それぞれ停止した図柄の組合せがビッグボーナス役（ＢＢ）、レギュラーボーナス役（ＲＢ）に対応する入賞と判定された場合に出力開始となり、各ボーナスゲームが終了すると出力停止となる。これらの信号も台コンピュータ３０に対して出力される。
【００４５】
メダル精算信号Ｓ６は、クレジット数１５３ａと掛け数とをそれぞれそのパルス数により示す信号であり、精算ボタン１０６ａが操作されたタイミングで生成され、台間装置１０に対して出力される。
【００４６】
具体的には、メダル精算信号Ｓ６は、精算ボタン１０６ａが操作されたタイミングにおけるクレジット数１５３ａと掛け数の有無に応じて出力する内容が異なり、例えば、精算ボタン１０６ａが操作されたタイミングで、クレジット数１５３ａのみがある場合は、クレジット数１５３ａをそのパルス数により示す信号として出力され、掛け数のみがある場合は、掛け数をそのパルス数により示す信号として出力される。
【００４７】
一方、精算ボタン１０６ａが操作されたタイミングで、クレジット数１５３ａと掛け数の双方がある場合には、精算ボタン１０６ａの最初の操作で、掛け数を示すメダル精算信号Ｓ６が出力され、その後、メダル投入口１０６からのメダルの投入、又はＢＥＴボタン１０７の操作がされることなく、続いて二回目の精算ボタン１０６ａの操作により、クレジット数１５３ａを示すメダル精算信号Ｓ６が出力される。
【００４８】
これにより、ゲームに掛ける掛け数を変更したい場合、例えば、先にメダルを３枚投入して３枚掛けゲームを行おうとしたものの、これをキャンセルしてメダルを１枚投入して１枚掛けゲームに変更するような場合には、精算ボタン１０６ａを１回操作して、掛け数をキャンセル（ゼロにする）するとともに、新たにＢＥＴボタン１０７（１ＢＥＴボタン１０７ｂ）を操作することで、掛け数を簡単に変更することができる。また、キャンセル分の掛け数は、台間装置１０において、精算メダル数として記憶・管理される。
【００４９】
なお、精算ボタン１０６ａが操作されたタイミングで、クレジット数１５３ａと掛け数とがある場合において、精算ボタン１０６ａの最初の操作で、掛け数を示すメダル精算信号Ｓ６が出力され、その後、メダル投入口１０６からのメダルの投入、又はＢＥＴボタン１０７の操作がされたときには、続く二回目の精算ボタン１０６ａの操作により、再び掛け数を示すメダル精算信号Ｓ６が出力される。
【００５０】
メダル超過信号Ｓ５は、付与される入賞メダル数により規定数を超える分の入賞メダル数をそのパルス数により示す信号であり、上記のクレジット処理において、入賞メダル数の加算によりクレジット数１５３ａが規定数を超えるときに生成され、台間装置１０に対して出力される。
ここで、メダル超過信号Ｓ５を生成・出力するメダル超過信号出力処理について、図７を参照しながら、以下に説明する。
【００５１】
まず、停止した図柄の組合せを識別することにより、入賞か否かを判定し（Ｓ１）、入賞でなければ（Ｓ１−Ｎｏ）、すなわちハズレのときは、処理を終了する。
一方、入賞のときは（Ｓ１−Ｙｅｓ）、さらに、入賞メダル数がゼロか否かの判定を行う（Ｓ２）。入賞メダル数がゼロの入賞には、例えば、ボーナス入賞やリプレイ入賞があり、入賞メダル数がゼロでない入賞には、小役入賞がある。
そして、入賞メダル数がゼロのとき（Ｓ２−Ｙｅｓ）、すなわち、ボーナス入賞やリプレイ入賞のときには、処理を終了する。
【００５２】
一方、入賞メダル数がゼロでないとき（Ｓ２−Ｎｏ）、すなわち小役入賞のときには、クレジット数１５３ａに、入賞メダル数となるまで、入賞メダルを１ずつ加算しながら、その和（クレジット数１５３ａ＋入賞メダル１）と規定数（５０）とを比較する（Ｓ３）。
規定数を超えるときには（Ｓ３−Ｙｅｓ）、１パルスのメダル超過信号を外部出力端子板１３０から出力するとともに（Ｓ４）、入賞メダル数に達した否かを判定し（Ｓ５）、入賞メダル数に達しないときには（Ｓ５−Ｎｏ）、入賞メダル数となるまで、メダル超過信号を１パルスずつ繰り返し出力する（Ｓ３，Ｓ４）。そして、入賞メダル数に達したときには（Ｓ５−Ｙｅｓ）、処理を終了する。これにより、規定数を超える分の入賞メダル数を示すメダル超過信号が台間装置１０に対して出力されることになる。
【００５３】
一方、規定数を超えないときには（Ｓ３−Ｎｏ）、さらに、入賞メダル数に達した否かを判定し（Ｓ５）、メダル数に達しないときには（Ｓ５−Ｎｏ）、入賞メダル数となるまで、繰り返しＳ３，Ｓ４又はＳ３，Ｓ５の各ステップを実行し、メダル数に達したときに（Ｓ５−Ｙｅｓ）、処理を終了する。
このようなメダル超過信号出力処理により、例えば、クレジット数１５３ａが「４７枚」であり、入賞メダル数が「１０枚」のときは、Ｓ３の処理に次いでＳ５の処理を実行するループを「３回」繰り返した後、Ｓ３の処理に次いでＳ４とＳ５の処理を実行するループを「７回」繰り返して処理が終了され、その結果、超過分の入賞メダル数「７枚」を示す、「７パルス」のメダル超過信号が出力されることになる。
【００５４】
［台間装置］
台間装置１０は、図２に示すように、スロットマシン１００毎に設置され、当該スロットマシン１００の外部出力端子板１３０から出力される、メダル超過信号Ｓ５とメダル精算信号Ｓ６とを入力して、これらの入力にもとづいてスロットマシン１００で取得した超過分の入賞メダルと精算メダルとをそれぞれ累計しながら記憶・管理するとともに、記憶した入賞メダル数と精算メダル数の合計数（以下、取得メダル数という）を表示し、また、遊技者による入力操作にもとづいて取得メダル数までのメダルの払い出しを行い、さらには、遊技者による精算操作にもとづいて取得メダル数とコインＩＤとを持ち玉管理装置７０に出力し、ＩＣコイン８２を発行するようになっている。
このような動作を実現するために、台間装置１０は、以下のように構成されている。
【００５５】
具体的には、台間装置１０は、図２及び図５に示すように、紙幣投入口１１、紙幣識別部１１ａ、貯メダル数表示部１２、貯メダル引出ボタン１２ａ、取得メダル数表示部１３、取得メダル払戻ボタン１３ａ、入力部１４、会員カード挿入口１５、会員カードリーダ１５ａ、ＩＣコイン投入口１６ａ、ＩＣコイン返却口１６ｂ、ＩＣコインリーダ／ライタ１６、精算ボタン１７、メダル払出部１８、ノズル１８ａ、通信部１９、報知部２０、制御部２１を備えている。
さらに、制御部２１には、ＣＰＵ２２、ＲＯＭ２３、ＲＡＭ２４が設けられ、ＣＰＵ１５１が、ＲＯＭ２３に記録されたプログラム及びデータにもとづいてＲＡＭ２４をワーク領域として用いながら、上記各部を制御することで、前述の動作が実現されるようになっている。
【００５６】
紙幣投入口１１は、遊技者が予め遊技場に預け入れた貯メダルがない場合に、現金を対価として新たにメダルを貸し出すときに紙幣を投入する投入口であり、この投入された紙幣は、紙幣投入口１１の内部に設けられた紙幣識別部１１ａにおいて金種及び真偽が識別されるとともに、ＲＡＭ２４においてその金額が記憶される。
また、この記憶された金額の範囲内において、入力部１４に配置された貸出ボタンを操作することで、メダル払出部１８が制御部２１により駆動制御され、貸メダルがノズル１８ａから払い出されるようになっている。貸メダルは、投入金額１０００円を一単位として払い出され、このとき払い出される貸メダル数は、１枚当りの貸メダル料金を２０円とすると、５０枚となっている。
【００５７】
貯メダル数表示部１２は、液晶ディスプレイからなり、遊技者が予め遊技場に預け入れた貯メダル数を表示し、この表示された貯メダル数の範囲内において、貯メダル引出ボタン１２ａを操作することで、メダル払出部１８が制御部２１により駆動制御され、貯メダルがノズル１８ａから払い出されるようになっている。
【００５８】
取得メダル数表示部１３は、液晶ディスプレイからなり、スロットマシン１００で取得した超過分の入賞メダル数と精算メダル数とを合計した取得メダル数（精算メダル数がないときには、入賞メダル数のみ）を表示し、この表示された取得メダル数の範囲内において、取得メダル払戻ボタン１３ａを操作することで、メダル払出部１８が制御部２１により駆動制御され、取得メダルがノズル１８ａから払い出されるようになっている。
【００５９】
入力部１４は、前述の貸出ボタンや所定の文字情報等を入力可能なテンキーなどの操作ボタンを備え、貯メダルからの引き出しに際して会員カードを挿入した遊技者に対して要求されるパスワードを入力することができ、この入力されたパスワードは、下記の会員ＩＤとともに通信部１９を介して会員管理装置５０に送信される。
【００６０】
会員カード挿入口１５は、遊技場が発行する会員カード（例えば、ＩＣカード）を挿入する挿入口であり、会員カードを挿入すると、会員カード挿入口１５の内部に設けられた会員カードリーダ１５ａにより貯メダル会員を特定可能な情報である会員ＩＤが読取られるとともに、この会員ＩＤは上記のパスワードとともに通信部１９を介して会員管理装置５０に送信される。
これを受信した会員管理装置５０は、会員ＩＤ等の照合一致を条件として、当該会員ＩＤに該当する貯メダル会員の貯メダル数を、台間装置１０に返送する。これにより、送信された貯メダル数が貯メダル数表示部１２に表示されるとともに、貯メダル引出ボタン１２ａを操作することで、貯メダルを引き出す（払い出す）ことができる。
また、挿入された会員カードは、精算ボタン１７の操作にもとづいて、会員カード挿入口１５から排出される。
【００６１】
ＩＣコイン投入口１６ａは、記録媒体の一例であるＩＣコイン８２を投入する投入口であり、ＩＣコイン８２を投入すると、ＩＣコイン投入口１６ａの内部に設けられたＩＣコインリーダ／ライタ１６によりＩＣコイン８２から当該ＩＣコイン８２を特定可能な固有情報であるコインＩＤが読取られるようになっている。
本実施形態では、このコインＩＤがスロットマシン１００で取得した超過分の入賞メダル数と精算メダル数とを合計した取得メダル数を特定可能な情報となっており、持ち玉管理装置７０においてこのコインＩＤと取得メダル数とが関連付けられて記憶・管理されている。
【００６２】
ＩＣコイン返却口１６ｂは、発行手段として動作し、ＩＣコイン８２を発行・返却する返却口であり、精算ボタン１７の操作にもとづいて、ＩＣコイン８２がこのＩＣコイン返却口１６ｂから発行・返却される。
このとき、取得メダル数を、ＩＣコインリーダ／ライタ１６により記録媒体であるＩＣコイン８２に直接書き込むこともできるが、本実施形態では、コインＩＤと取得メダル数を、通信部１９を介して持ち玉管理装置７０に送信し、これらを持ち玉管理装置７０に記憶・管理させるようになっている。
【００６３】
精算ボタン１７は、遊技の終了時に操作されるボタンで、これを操作することで、会員カード挿入口１５に挿入された会員カードが排出されるとともに、取得メダル数がある場合には、ＩＣコイン８２がこのＩＣコイン返却口１６ｂから発行・返却される。
【００６４】
メダル払出部１８は、メダルを貯留するホッパーと、メダルを払い出す（送出する）モータと、払い出し数（送出数）をカウントするカウントセンサとを備え（いずれも不図示）、入力部１４に配置された貸出ボタン、貯メダル引出ボタン１２ａ、取得メダル払戻ボタン１３ａの操作にもとづいて払い出し動作を開始するとともに、所定数のメダル（例えば、５０枚）をカウントすると動作を停止する。
すなわち、メダル払出部２９は、これらのボタンが操作されると、ＲＡＭ２４に記憶された、金額、貯メダル数、取得メダル数の範囲内において所定数（５０枚）単位でメダルを払い出すようになっている。
【００６５】
このように、いずれのボタン１４、１２ａ、１３ａの操作によっても、一つの操作で、同数のメダルを一単位として払い出すこととしたのは、払い出したメダル数（５０枚）を消化するまでのゲーム数をカウントするときの目安を同じにするためである。
つまり、遊技者は１０００円の投入により貸し出される貸メダルを消化可能なゲーム数をカウントして、この回数を目安に、スロットマシンの設定確率を推測するので、１０００円の投入により払い出される貸メダル数と同数を一単位としてメダルを払い出すことで、同じ目安で、消化可能なゲーム数をカウントすることができるからである。
【００６６】
また、メダル払出部１８から払い出されたメダルは、メダル払出部１８を装置外につなぐメダルの誘導路として構成されたノズル１８ａを通じてスロットマシン１００の受け皿に排出される。
また、上記のホッパーは、移送通路１１１の流出口１１１ｂと連通し、メダル投入口１０６から投入された投入メダルを貯留する。
これにより、外部から台間装置１０にメダルを補給する必要がなくなることから、遊技場の店員による補給作業の軽減が図られる。
【００６７】
通信部１９は、図６に示すように、スロットマシン１００の外部出力端子板１３０と、台コンピュータ３０と、会員管理装置５０と、持ち玉管理装置７０と接続され、これらの装置間で以下の信号を送受する通信手段である。
【００６８】
通信部１９は、スロットマシン１００との間では、スロットマシン１００からメダル超過信号Ｓ５と、メダル精算信号Ｓ６とを入力する。
また、台コンピュータ３０との間では、台コンピュータ３０からは、メダル投入信号Ｓ１と、メダル入賞信号Ｓ２とを入力し、台コンピュータ３０には、貸し出された貸出メダル数をパルス数で示すメダル貸出信号Ｓ７と、引き出された貯メダル数をパルス数で示すメダル引出信号Ｓ８とを出力する。
そして、台コンピュータ３０に出力された信号は、後述の異常信号も含み、島コンピュータ４０を介してホールコンピュータ６０に入力される。
【００６９】
また、会員管理装置５０との間では、前述した、パスワード、会員ＩＤ、貯メダル数などの貯メダル会員に関する情報である貯メダル情報信号Ｓ９を送受する。
持ち玉管理装置７０との間では、メダル超過信号Ｓ５と、メダル精算信号Ｓ６と、メダル払戻信号Ｓ１０と、前述のコインＩＤ等の信号を送受する。
メダル払戻信号Ｓ１０（払戻数情報）とは、取得メダル払戻ボタン１３ａの操作により払い出される払戻メダル数をパルス数により示す信号である。
【００７０】
報知部２０は、ＬＥＤ等の発光手段からなり（不図示）、後述の不正判定処理において異常と判定されたときに点灯して、外部に異常を報知する。
【００７１】
このような構成からなる台間装置１０において、制御部２１（ＣＰＵ２２）が、演算処理部として機能することで、ＲＡＭ２４に設定されたワーク領域に各データを記憶・更新しながら、スロットマシン１００で取得した超過分の入賞メダルと精算メダルとをそれぞれ記憶・管理するとともに、記憶した入賞メダル数と精算メダル数とを合計した取得メダル数を表示し、また、取得メダル払戻ボタン１３ａの操作にもとづいて取得メダル数までのメダルの払い出しを行い、さらには、精算ボタン１７の操作にもとづいて取得メダル数とコインＩＤとを持ち玉管理装置７０に出力するとともに、ＩＣコイン８２を発行するようになっている。
【００７２】
具体的には、ＲＡＭ２４には、貸出メダル数２４ａ、引出メダル数２４ｂ、投入メダル数２４ｃ、入賞メダル数２４ｄ、超過メダル数２４ｅ、払戻メダル数２４ｆ、精算メダル数２４ｇが記憶され、制御部２１は、貸メダルが貸し出される度にこのメダル数を貸出メダル数２４ａに加算して更新し、貯メダルが引き出される度にこのメダル数を引出メダル数２４ｂに加算して更新し、メダル投入信号Ｓ１が入力される度にこのパルス数を投入メダル数２４ｃに加算して更新し、メダル入賞信号Ｓ２が入力される度にこのパルス数を入賞メダル数２４ｄに加算して更新し、メダル超過信号Ｓ５が入力される度にこのパルス数を超過メダル数２４ｅに加算して更新し、取得メダルからの払い戻しがある度にこのメダル数を払戻メダル数２４ｆに加算して更新し、メダル精算信号Ｓ６が入力される度にこのパルス数を精算メダル数２４ｇ加算して更新する。
【００７３】
さらに、制御部２１は、超過メダル数２４ｅと精算メダル数２４ｇとを加算して取得メダル数を算出するとともに、この取得メダル数を取得メダル数表示部１３に表示させる。
このとき、精算メダル数２４ｇがないときには（メダル精算信号Ｓ６が入力されず、精算メダル数２４ｇがゼロのとき）、超過メダル数２４ｅを取得メダル数として取得メダル数表示部１３に表示させる。
【００７４】
また、払戻メダル数２４ｆがあれば、取得メダル数から払戻メダル数２４ｆを減算して取得メダル数を更新し、この更新した取得メダル数を取得メダル数表示部１３に表示させる。
また、制御部２１は、取得メダル払戻ボタン１３ａの操作を検出すると、メダル払出部１８を駆動制御して、取得メダル数表示部１３に表示されている取得メダル数までの払い出しをメダル５０枚単位で行なわせる。
【００７５】
また、制御部２１は、精算ボタン１７の操作を検出すると、会員カードが会員カード挿入口１５に挿入されているときには、会員ＩＤとともに取得メダル数を会員管理装置５０に送信して、取得メダル数を貯メダルとして会員管理装置５０に記憶・管理させるとともに、会員カードを排出する。
一方、会員カードが会員カード挿入口１５に挿入されていないときには、コインＩＤとともに取得メダル数を持ち玉管理装置７０に送信して、コインＩＤと取得メダル数とを紐付けして持ち玉管理装置７０に記憶・管理させるとともに、ＩＣコイン８２をＩＣコイン返却口１６ｂから発行する。
【００７６】
さらに、制御部２１は、上記の各メダル数２４ａ〜２４ｇに対して所定の演算処理を行なうことで、所定の異常を判定する。
具体的には、投入メダル２４ｃと、超過メダル数２４ｅと、精算メダル数２４ｇとを加算した第一の合計メダル数を算出するとともに、貸出メダル数２４ａと、引出メダル数２４ｂと、入賞メダル数２４ｄと、払戻メダル数２４ｆとを加算した第二の合計メダル数を算出し、投入メダル数２４ｃ又は精算メダル数２４ｇを更新する度に、第一の合計メダル数と第二の合計メダル数とを比較し、第一の合計メダル数が第二の合計メダル数より大きいか又は同じときに、不正行為に係る所定の異常と判定する。
【００７７】
これは、第一の合計メダル数の加算要素となる投入メダル、超過メダル、精算メダルは、第二の合計メダル数の加算要素となる貸出メダル、引出メダル、入賞メダル、払戻メダルにもとづいて取得されるメダルであることから、第一の合計メダル数が第二の合計メダル数より大きいことはあり得ないからである。また、超過メダル数２４ｅには、リプレイ入賞に係る入賞メダル数が含まれないとともに、入賞メダル数２４ｄにはリプレイ入賞に係る入賞メダル数が含まれるので、第一の合計メダル数が第二の合計メダル数と同じとなることもあり得ないのである。
【００７８】
しかしながら、このようなあり得ないことが起こる事象として、以下のような不正行為等に係る異常が想定できる。
例えば、スロットマシン間の台移動を禁止している遊技場では、あるスロットマシンで取得した取得メダルを、他のスロットマシンで使用すると、この他のスロットマシンでは、貸出メダルがないにもかかわらず投入メダルが発生することにより、第一の合計メダル数が第二の合計メダル数より大きいか又は同じになることがある。
【００７９】
また、先端部に発光素子が設けられた特殊な不正器具をメダル投入口１０６から挿入し、その先端部を遊技媒体を検出するセンサ（例えば、透過型フォトインタラプタ）まで到達させた後、発光素子の点滅によってセンサを誤作動させ、クレジット数１５３ａを短時間で規定数まで上げ、これにもとづいて精算メダル数２４ｇが増加したときには、入賞メダルがないにもかかわらず精算メダルが発生することにより、第一の合計メダル数が第二の合計メダル数より大きいか又は同じになることがある。
【００８０】
そこで、第一の合計メダル数が第二の合計メダル数より大きいか又は同じになるか否かを判定することで、上記のような不正行為等に係る所定の異常を判定することができる。
このような不正行為に係る異常の判定は、制御部２１が実行する不正判定処理において行なわれる。ここで、不正判定処理について、図８を参照しながら、以下に説明する。
【００８１】
制御部２１は、電源が投入されるまで処理待ち状態であり（Ｓ１１−Ｎｏ）、電源が投入されると（Ｓ１１−Ｙｅｓ）、上記の各メダル数２４ａ〜２４ｇの値を初期化（ゼロクリア）する（Ｓ１２）。
その後、スロットマシン１００又は台コンピュータ３０からの上記各信号の入力又は自らの払い出し動作による、各メダル数２４ａ〜２４ｇの値の変化を監視し（Ｓ１３）、変化がないときには、待ち状態となり（Ｓ１３−Ｎｏ）、変化があると（Ｓ１３−Ｙｅｓ）、そのメダル数２４ａ〜２４ｇの値を更新する（Ｓ１４）。
【００８２】
その変化の中で、メダル投入信号Ｓ１又はメダル精算信号Ｓ６の受信により、投入メダル数２４ｃ又は精算メダル数２４ｇが変化（更新）したか否かを判定し（Ｓ１５）、これらの値の変化（更新）がなければ（Ｓ１５−Ｎｏ）、各メダル数２４ａ〜２４ｇの値の監視、及び更新を繰り返す（Ｓ１３，Ｓ１４）。
一方、投入メダル数２４ｃ又は精算メダル数２４ｇが変化（更新）したときには、第一の合計メダル数が第二の合計メダル数より大きいか又は同じか（２４ｃ＋２４ｅ＋２４ｇ≧２４ａ＋２４ｂ＋２４ｄ＋２４ｆ）否かを判定し（Ｓ１６）、大きい又は同じときには（Ｓ１６−Ｙｅｓ）、異常とみなし、報知部２０（ＬＥＤ）を点灯制御して外部に異常を報知する（Ｓ１９）。
【００８３】
さらに、このときには、通信部１９からホールコンピュータ６０に異常信号を出力する（Ｓ２０）。次いで、入力部１４からの解除入力待ちとなり（Ｓ２１−Ｎｏ）、解除入力があると（Ｓ２１−Ｙｅｓ）、異常報知や異常出力が解除されるとともに、Ｓ１２に移行し、その後の処理を繰り返す。
なお、第一の合計メダル数が第二の合計メダル数より大きいか又は同じか否かを判定するタイミングを、投入メダル数２４ｃ又は精算メダル数２４ｇが変化（更新）したときとしたのは、クレジット機能を悪用した不正行為では、不正に取得したメダルを、スロットマシンの精算ボタン１０６ａを操作して獲得するか、又は、遊技に投入するかのいずれかであるため、これらの行為が数値として直ちに現れる投入メダル数２４ｃ又は精算メダル数２４ｇの変化を監視することで、不正行為を迅速に判定できるからである。
【００８４】
一方、第一の合計メダル数が第二の合計メダル数より小さいときには（Ｓ１６−Ｎｏ）、正常と判定し、精算ボタン１７の操作によりＩＣコイン、又は会員カードが排出され、かつ、これらの排出から所定時間経過したか否かの判定を行う（Ｓ１７）。つまり、この判定により、遊技の終了か否かを判定する。ＩＣコイン、又は会員カードが排出され、かつ、排出から所定時間経過していないときには（Ｓ１７−Ｎｏ）、未だ遊技中であると判定して、Ｓ１３に移行し、その後の処理を繰り返す。
ＩＣコイン、又は会員カードが排出され、かつ、排出から所定時間経過したときには（Ｓ１７−Ｙｅｓ）、遊技の終了と判定して、各メダル数２４ａ〜２４ｇの値をクリア（初期化）するとともに（Ｓ１８）、処理を終了する。
【００８５】
このような不正判定処理を制御部２１が実行することにより、スロットマシン間の台移動を禁止している遊技場では、台移動によるメダルの持ち込みを確実に発見できるとともに、先端部に発光素子が設けられた特殊な不正器具をメダル投入口１０６から挿入し、クレジット数１５３ａを不正に増加させる行為を確実に発見することができる。
【００８６】
なお、第一の合計メダル数が第二の合計メダル数より大きいか又は同じか否かの判定に際して、条件成立後ただちに異常と判定するのではなく、一定の許容数を超えたタイミングで、異常と判定することもできる。
例えば、第一の合計メダル数が第二の合計メダル数に許容数（例えば、５０）を加算した値を超えたときにはじめて異常と判定させることもできる。
この許容数は、判定誤差を吸収するためのもので、クレジット機能を悪用した不正行為では、一度に５０枚のメダルが窃取されることから、許容数を５０以上としておくことで判定精度を向上させることができる。
【００８７】
[持ち玉管理装置]
持ち玉管理装置７０は、複数の台間装置１０と接続され、各台間装置１０からメダル超過信号と、メダル精算信号と、メダル払戻信号とを受信して、台間装置１０毎の超過分の入賞メダル数、精算メダル数、払戻メダル数を累計しなから記憶・管理するとともに、入賞メダル数と精算メダル数とを合計して取得メダル数を算出する。さらに、取得メダル数から払戻メダル数を減算して取得メダル数を更新する。
また、各台間装置１０からの要求に応じて、該当する台間装置１０に現在の入賞メダル数、払戻メダル数、取得メダル数を送信する。
【００８８】
さらに、持ち玉管理装置７０は、図９に示すように、台間装置１０から送信されるＩＣコイン８２を特定可能な情報であるコインＩＤと取得メダル数とを紐付けして記憶・管理し、景品交換装置８０から送信されるコインＩＤを含む要求信号に応じて、このコインＩＤと紐付けされた取得メダル数を景品交換装置８０に返信する。
これにより、景品交換装置８０において、付設されたＩＣコインリーダ８１を用いてＩＣコイン８２からコインＩＤを読み込むとともに、このコインＩＤを含む要求信号を持ち玉管理装置７０に送信することで、持ち玉管理装置７０からこのコインＩＤと紐付けされた取得メダル数を受信し、この受信した取得メダル数とほぼ等価な価値を有する景品との決済処理を行うことができる。
【００８９】
以上説明したように、本実施形態のスロットマシン１００によれば、クレジット可能な規定数を超える分の入賞メダル数を外部装置として機能する台間装置１０及び管理装置として機能する持ち玉管理装置７０に管理させるとともに、当該スロットマシン１００におけるメダルの出入数を台間装置１０に管理させることで、当該スロットマシン１００で取得された取得メダル数を明確に把握できるとともに、所定の不正行為を確実に発見することができる。
【００９０】
以上、本発明のスロットマシンと、遊技装置及び管理装置と、これらを備える遊技システムの好ましい実施形態について説明したが、本発明に係るスロットマシン、遊技装置及び管理装置、遊技システムは上述した実施形態にのみ限定されるものではなく、本発明の範囲で種々の変更実施が可能であることはいうまでもない。
例えば、本実施形態では、スロットマシン１００に遊技媒体を払い出す払出装置及び遊技媒体を貯留するホッパーを設けていないが、従来のスロットマシンと同様に払出装置とホッパーを設けることもできる。
また、スロットマシン１００からメダル超過信号とメダル精算信号とを出力したが、メダル超過信号のみ出力し、クレジットメダルは、精算ボタン１０６ａの操作により、スロットマシン１００に備える払出装置から払い出すこともできる。
また、本実施形態では、メダル投入口１０６から投入された投入メダルを台間装置１０に移送したが、スロットマシン１００の設置されている遊技機島に排出することもできる。
【００９１】
また、本実施形態では、遊技装置及び管理装置に管理させるメダルを、入賞メダルに限定したが、投入メダルをこれらの装置に管理させることもできる。
すなわち、本実施形態では、規定数を超える分のメダルとして入賞メダルに限り、メダル超過信号を生成・出力したが、入賞メダルに加え、メダル投入口１０６から投入される投入メダルにより規定数を超えるときに、その超える分の投入メダル数を示すメダル超過信号を生成・出力するとともに、台間装置１０及び持ち玉管理装置７０に、これを取得メダルとして管理させることもできる。
【００９２】
また、本実施形態では、取得メダル数をＩＣコイン８２のコインＩＤと紐付けして持ち玉管理装置７０において間接的に管理させたが、台間装置１０において取得メダル数をＩＣコイン８２に直接書き込み、この書き込んだ取得メダル数を景品交換装置８０においてＩＣコインリーダ８１により直接読み込み、所定の景品交換処理を行なうことができる。
また、記録媒体は、ＩＣコインに限らず、ＩＣカード、磁気カード、取得メダル数を直接印刷したレシート等の記録紙でもよい。
【００９３】
また、本実施形態では、台間装置１０を本発明の係る遊技装置として機能させたが、例えば、台コンピュータ３０、島コンピュータ４０、ホールコンピュータ６０、又はスロットマシン毎に設置される呼出ランプを遊技装置として機能させることもできる。
この場合、メダルの払い出しのみを台間装置１０に行なわせ、その他の機能、例えば、取得メダルの管理、不正行為に係る異常の判定等を、台コンピュータ３０、島コンピュータ４０、ホールコンピュータ６０、呼出ランプのいずれかに行なわせ、又はこれらの機能を各装置に分散させることもできる。
【００９４】
また、本実施形態では、遊技場に予め預け入れた貯メダルの管理を、会員管理装置５０に行なわせ、取得メダルの管理を、持ち玉管理装置７０に行なわせたが、これらの管理をいずれか一つの管理装置で行なわせることもできる。
【００９５】
また、本実施形態では、台間装置１０（遊技装置）をメダル貸出装置として動作させたが、メダル貸出装置を別体に設け、台間装置１０（遊技装置）がこの別体のメダル貸出装置からメダル貸出信号を受信する構成とすることもできる。
また、本実施形態では、台間装置１０（遊技装置）から貯メダルを引き出し可能に構成したが、貯メダル引出装置を別体に設け、台間装置１０（遊技装置）がこの別体の貯メダル引出装置から貯メダル引出信号を受信する構成とすることもできる。
【００９６】
また、本実施形態では、メダル払出部１８から払い出されるメダルを、ノズル１８ａを介してスロットマシン１００の受け皿に誘導したが、メダル払出部１８から払い出されるメダルを貯留する受け皿を台間装置１０の下部に設けることもできる。
【００９７】
また、本実施形態では、精算ボタン１０６ａが操作されたタイミングで、クレジット数１５３ａと掛け数の双方がある場合には、精算ボタン１０６ａの最初の操作で、掛け数を示すメダル精算信号Ｓ６を出力し、その後、メダル投入口１０６からのメダルの投入、又はＢＥＴボタン１０７の操作がされることなく、続く二回目の精算ボタン１０６ａの操作により、クレジット数１５３ａを示すメダル精算信号Ｓ６を出力したが、精算ボタン１０６ａの一回の操作で、掛け数とクレジット数１５３ａとを合計した数量を示すメダル精算信号Ｓ６を出力することもできる。
具体的には、例えば、掛け数が３枚であり、クレジット数１５３ａが５０枚のときに、精算ボタン１０６ａを操作すると、５３枚のメダル数を示すパルス信号を一度に出力することもできる。
【００９８】
また、本実施形態では、精算ボタン１０６ａの操作順序に応じて、出力内容を変化させたが、操作態様の違いにより、出力内容を変化させることもできる。例えば、精算ボタン１０６ａの１秒以上の長押しで、掛け数とクレジット数１５３ａとを合計した数量を示すメダル精算信号Ｓ６を出力し、１秒未満の短押しで、掛け数のみを示すメダル精算信号Ｓ６を出力することもできる。
【産業上の利用可能性】
【００９９】
本発明は、規定数までクレジット可能なスロットマシン、これに併設され遊技媒体を払い出す機能を有する遊技装置、この遊技装置を管理する管理装置、及びこれらを備える遊技システムに広く利用することができる。
【符号の説明】
【０１００】
１０  台間装置（遊技装置）
１３  取得メダル数表示部（表示部）
１６  ＩＣコインリーダ／ライタ（発行部）
１６ｂ  ＩＣコイン返却口（発行部）
１８  メダル払出部（払出部，貯留部）
１９  通信部
２１  制御部（演算処理部）
７０  持ち玉管理装置（管理装置）
１００  スロットマシン
１０２  クレジット数表示部
１０２ａ  掛け数表示部
１０６  メダル投入口（投入口）
１０９  メダルセレクタ（投入通路，選別部）
１１１  移送通路（移送部）
１３０  外部出力端子板（出力部）
１５０  制御部（入賞判定部，入賞数設定部，クレジット部）
Ｓ１  メダル投入信号（投入数情報）
Ｓ２  メダル入賞信号（入賞数情報）
Ｓ５  メダル超過信号（超過数情報）
Ｓ６  メダル精算信号（精算数情報）
Ｓ７  メダル貸出信号（貸出数情報）
Ｓ８  貯メダル引出信号（引出数情報）
Ｓ１０  メダル払戻信号（払戻数情報）
Ｓ  遊技システム
【図１】
0005816953.tif 000002
【図２】
0005816953.tif 000003
【図３】
0005816953.tif 000004
【図４】
0005816953.tif 000005
【図５】
0005816953.tif 000006
【図６】
0005816953.tif 000007
【図７】
0005816953.tif 000008
【図８】
0005816953.tif 000009
【図９】
0005816953.tif 000010